(57)【要約】【課題】  従来のデジタルカメラでは、運動会や学芸会等での撮影時、全体の雰囲気を捉えるために広角側で撮影を行うか、迫力のある瞬間を捉えるために望遠側で撮影を行う、といった２極に分かれていた。従って、広角側の画像と望遠側の画像とをそれぞれ別々の２枚の画像として記録しておく必要があった。【解決手段】  合成画像生成手段により、第１画像２３に画角が異なる新たな第２画像２４ａが貼り付けられた１枚の合成画像２５が生成され、記録手段により、合成画像生成手段によって生成された１枚の合成画像２５がメモリカード２０に記録される。このため、従来のように、第１画像２３と、画角が異なる第２画像２４ａとの２枚の画像を、別々の画像として記録しておく必要もなく、互いに画角の異なる第１画像２３および第２画像２４ａを１枚の合成画像２５として記録することができて便利である。【選択図】  図４
2010268019.tif 000002
【特許請求の範囲】
【請求項１】
第２画像を含む第１画像を取得する第１画像取得手段と、
前記第１画像と画角が異なる新たな前記第２画像を、元の前記第２画像を基にして、または、前記第１画像取得手段により元の前記第２画像の取得タイミングとほぼ同じタイミングで、取得する第２画像取得手段と、
前記第１画像に新たな前記第２画像を貼り付けた１枚の合成画像を生成する合成画像生成手段と、
前記合成画像生成手段によって生成された１枚の前記合成画像を記録する記録手段と
を備えた撮影装置。
【請求項２】
請求項１に記載の撮影装置において、
前記第２画像に枠を設定する枠設定手段を備え、
前記第２画像取得手段は、前記枠設定手段で設定された枠内の前記第２画像を所定の倍率で拡大した画像を新たな前記第２画像として取得する
ことを特徴とする撮影装置。
【請求項３】
請求項２に記載の撮影装置において、
前記枠設定手段は、使用者の操作に応じて枠を設定する
ことを特徴とする撮影装置。
【請求項４】
請求項２に記載の撮影装置において、
前記枠設定手段は、使用者の操作によらずに自動的に枠を設定する
ことを特徴とする撮影装置。
【請求項５】
請求項１から請求項４のいずれか１項に記載の撮影装置において、
前記合成画像生成手段による新たな前記第２画像の貼り付け位置を選択する位置選択手段を備えた
ことを特徴とする撮影装置。
【請求項６】
請求項１から請求項４のいずれか１項に記載の撮影装置において、
前記合成画像生成手段は、新たな前記第２画像を元の前記第２画像と重なる位置に貼り付ける
ことを特徴とする撮影装置。
【請求項７】
請求項１から請求項４のいずれか１項に記載の撮影装置において、
前記合成画像生成手段は、新たな前記第２画像を元の前記第２画像と重ならない位置に貼り付ける
ことを特徴とする撮影装置。
【発明の詳細な説明】
【技術分野】
【０００１】
本発明は、画像を記録する記録手段を備えた撮影装置に関する。
【背景技術】
【０００２】
従来、この種の撮影装置としては、例えば、特許文献１に開示されたデジタルカメラがある。このデジタルカメラでは、撮影された画像が液晶パネルにスルー画像として表示される。撮影者は、十字カーソルボタンによってスルー画像におけるズーム中心位置を撮影者の所望の位置となるように移動させ、さらにズーム拡大ボタンを押圧操作して、ズーム中心位置を中心としてズーム領域を変化させて所望の画角にトリミングした後、撮影を行う。画像の保存は、このトリミングされたデジタルズーム領域に対して行われる。
【先行技術文献】
【特許文献】
【０００３】
【特許文献１】特開２００４−２３６３１号公報
【発明の概要】
【発明が解決しようとする課題】
【０００４】
しかしながら、特許文献１に開示されたような従来のデジタルカメラでは、運動会や学芸会等での撮影時、全体の雰囲気を捉えるために広角側で撮影を行うか、迫力のある瞬間を捉えるために望遠側で撮影を行う、といった２極に分かれていた。このため、広角側での撮影では子供の表情等を表現することが難しく、逆に、望遠側の撮影では全体の雰囲気を表現することが困難であった。従って、従来のデジタルカメラでは、広角側の画像と望遠側の画像とをそれぞれ別々の２枚の画像として記録しておく必要があった。
【課題を解決するための手段】
【０００５】
本発明はこのような課題を解決するためになされたもので、
第２画像を含む第１画像を取得する第１画像取得手段と、
第１画像と画角が異なる新たな第２画像を、元の第２画像を基にして、または、第１画像取得手段により元の第２画像の取得タイミングとほぼ同じタイミングで、取得する第２画像取得手段と、
第１画像に新たな第２画像を貼り付けた１枚の合成画像を生成する合成画像生成手段と、
合成画像生成手段によって生成された１枚の合成画像を記録する記録手段とを備えて撮影装置を構成した。
【０００６】
本構成によれば、合成画像生成手段により、第１画像に画角が異なる新たな第２画像が貼り付けられた１枚の合成画像が生成され、記録手段により、合成画像生成手段によって生成された１枚の合成画像が記録される。このため、従来のように、第１画像と、画角が異なる第２画像との２枚の画像を、別々の画像として記録しておく必要もなく、互いに画角の異なる第１画像および第２画像を１枚の合成画像として記録することができて便利である。また、広角側の、全体の雰囲気を表現する画像と、望遠側の、被写体の迫力ある様子を表現する画像とを１枚の画像で表現することができるため、従来の１枚ずつの画像の撮影では得られない新たな画像を作成することが可能である。
【０００７】
また、本発明は、第２画像に枠を設定する枠設定手段を備え、
第２画像取得手段が、枠設定手段で設定された枠内の第２画像を所定の倍率で拡大した画像を新たな第２画像として取得することを特徴とする。
【０００８】
本構成によれば、第２画像取得手段により、枠設定手段で設定された枠内の第２画像を所定の倍率で拡大した画像が新たな第２画像として取得され、合成画像生成手段によって第１画像に貼り付けられて１枚の合成画像が生成される。このため、使用者は、枠設定手段で設定された枠から、第１画像と画角が異なる、所定の倍率で拡大される第２画像の内容を把握することが可能である。
【０００９】
また、本発明は、枠設定手段が、使用者の操作に応じて枠を設定することを特徴とする。
【００１０】
本構成によれば、枠設定手段により、使用者の操作に応じて、所定の倍率で拡大されて第１画像に貼り付けられる第２画像の枠の位置、大きさ等が設定される。このため、使用者の好みに合わせた合成画像を作成することができる。
【００１１】
また、本発明は、枠設定手段が、使用者の操作によらずに自動的に枠を設定することを特徴とする。
【００１２】
本構成によれば、撮影対象物が動いても、枠設定手段が自動的に撮影対象物の動きに合わせて撮影対象物に対する枠を設定する。このため、使用者がわざわざ手動で撮影対象物の動きに合わせて枠を設定する面倒な作業も必要なく、撮影対象物を第２画像として撮影する際の利便性が向上する。
【００１３】
また、本発明は、合成画像生成手段による新たな第２画像の貼り付け位置を選択する位置選択手段を備えたことを特徴とする。
【００１４】
本構成によれば、位置選択手段により、合成画像生成手段による新たな第２画像の貼り付け位置が選択される。このため、使用者が第１画像の所望の位置に第２画像を貼り付けることができ、使用者の好みに合わせた合成画像を作成することができる。
【００１５】
また、本発明は、合成画像生成手段が、新たな第２画像を元の第２画像と重なる位置に貼り付けることを特徴とする。
【００１６】
本構成によれば、合成画像生成手段により、新たな第２画像が元の第２画像と重なる位置に貼り付けられる。このため、新たな第２画像を元の第２画像の位置に記録することができ、全体の雰囲気における撮影対象物の位置関係を損なわないで、迫力ある第２画像を表現することができる。
【００１７】
また、本発明は、合成画像生成手段が、新たな第２画像を元の第２画像と重ならない位置に貼り付けることを特徴とする。
【００１８】
本構成によれば、合成画像生成手段により、新たな第２画像が元の第２画像と重ならない位置に貼り付けられる。このため、拡大された新たな第２画像および拡大される前の元の第２画像を比較してみることができて、便利である。
【発明の効果】
【００１９】
本発明による撮影装置によれば、上記のように、従来のように、第１画像と、画角が異なる第２画像との２枚の画像を、別々の画像として記録しておく必要もなく、互いに画角の異なる第１画像および第２画像を１枚の合成画像として記録することができて便利である。また、広角側の、全体の雰囲気を表現する画像と、望遠側の、被写体の迫力ある様子を表現する画像とを１枚の画像で表現することができるため、従来の１枚ずつの画像の撮影では得られない新たな画像を作成することが可能である。
【図面の簡単な説明】
【００２０】
【図１】本発明の一実施の形態によるデジタルカメラの背面図である。
【図２】図１に示すデジタルカメラの電気回路構成の概略を示すブロック図である。
【図３】図１に示すデジタルカメラのＣＰＵによって行われる合成画像生成処理の概略を示すフローチャートである。
【図４】図３に示す合成画像生成処理においてモニタに表示される画面を示す図である。
【図５】図１に示すデジタルカメラのターゲット自動追尾機能により合成画像を生成する処理の概略を示すフローチャートである。
【図６】図５に示す自動追尾機能により合成画像を生成する処理において、モニタに表示される画面を示す図である。
【図７】図１に示すデジタルカメラの顔認識機能により合成画像を生成する処理の概略を示すフローチャートである。
【図８】図７に示す顔認識機能により合成画像を生成する処理において、モニタに表示される画面を示す図である。
【発明を実施するための形態】
【００２１】
次に、本発明による撮影装置をデジタルカメラに適用した場合の一実施の形態について説明する。
【００２２】
図１は、この一実施の形態によるデジタルカメラ１の背面図である。
【００２３】
撮影装置を構成するデジタルカメラ１の筐体１ａの上部には、被写体を撮影する際に操作されるレリーズボタン２が設けられている。レリーズボタン２は、半押しされるとオートフォーカス（Auto Focus）機能を作動させ、全押しされると予め設定されたシャッター速度でシャッターを開かせ、被写体像を所定時間露光させて被写体の撮影を行わせる。筐体１ａの背面にはモニタ３が設けられている。モニタ３は、ＴＦＴ（Thin Film Transistor）液晶からなる。
【００２４】
モニタ３の右側には、ズームボタン４、および十字ボタン５が配置されている。ズームボタン４は、モニタ３に表示される撮影画像を拡大、縮小表示させる際などに操作される。十字ボタン５は、上下方向および左右方向といった操作方向を検出する方向キーからなり、デジタルカメラ１の各種設定を行うメニュー画面において、種々の設定項目の中から所望の設定項目を選択する際に操作される。十字ボタン５の内側には決定ボタン６が設けられている。決定ボタン６は、十字ボタン５の操作によって選択された所望の設定項目を決定する際などに操作される。
【００２５】
図２は、図１に示すデジタルカメラ１の電気回路構成の概略を示すブロック図である。なお、同図において図１と同一部分には同一符号を付して説明する。
【００２６】
デジタルカメラ１は、ＣＰＵ（Central Processing Unit）１１、ＥＥＰＲＯＭ（Electrically Erasable Programmable Ｒead Ｏnly Ｍemory）などで構成される不揮発性メモリ１２、およびＲＡＭ（Random Access Memory）などで構成されるバッファメモリ１３を備えている。不揮発性メモリ１２には、ＣＰＵ１１が種々の制御を行う際に参照される制御プログラムなどが格納されている。ＣＰＵ１１は、不揮発性メモリ１２に格納されている制御プログラムに従い、バッファメモリ１３を一時記憶作業領域として回路各部の制御を行い、デジタルカメラ１の種々の装置機能を作動させる。
【００２７】
被写体からの光は、光学系を構成するレンズ１４を介してデジタルカメラ１内に取り込まれる。デジタルカメラ１内に取り込まれた被写体光は、撮像部１５の撮像面１５ａ上に被写体像を投影する。撮像部１５は、ＣＣＤ（Charge Coupled Device）やＣＭＯＳ（Complementary Metal Oxide Semiconductor）などからなり、撮像部１５の撮像面１５ａ上に結像した被写体像は、アナログの撮像信号に変換される。変換された撮像信号は、Ａ／Ｄ変換部１６においてデジタル信号に変換される。画像処理部１７は、Ａ／Ｄ変換部１６でデジタル信号に変換された撮像信号をバス１８を介して取得し、取得した撮像信号に対して、ホワイトバランス処理やガンマ補正などの画像処理を行い、撮影された画像の画像データを生成する。画像処理部１７によって生成された画像データは、ＣＰＵ１１により、圧縮処理が施されてバッファメモリ１３に格納されると共に、Ｉ／Ｆ部１９を介して、図示しないスロットに着脱されるメモリカード２０に記録される。
【００２８】
レンズ１４および撮像部１５は、図４において後述するように、第２画像２４を含む第１画像２３（図４（ａ）参照）を取得する第１画像取得手段を構成する。また、ＣＰＵ１１は、第１画像２３と画角が異なる新たな第２画像２４ａ（図４（ｅ）参照）を、元の第２画像２４を基にして、電子的処理によって画像を拡大または縮小する電子ズーム機能によって取得する第２画像取得手段を構成する。また、ＣＰＵ１１は、図４（ｂ）において後述するように、第２画像２４に内枠２１を設定する枠設定手段を構成する。第２画像取得手段は、枠設定手段で設定された内枠２１内の第２画像２４を所定の倍率で拡大した画像を新たな第２画像２４ａとして取得する。本実施形態では、ＣＰＵ１１は、図４において後述するように、使用者のズームボタン４および十字ボタン５の操作に応じて内枠２１を設定する。また、ＣＰＵ１１は、第１画像２３に新たな第２画像２４ａを貼り付けた１枚の合成画像２５（図４（ｅ）参照）を生成する合成画像生成手段と、合成画像生成手段によって生成された１枚の合成画像２５をメモリカード２０に記録する記録手段とを構成する。本実施形態では、ＣＰＵ１１は、第２画像２４ａを元の第２画像２４と重なる位置に貼り付ける（図４（ａ）、（ｅ）参照）。
【００２９】
ＣＰＵ１１には、図２に示すように、上述したレリーズボタン２、ズームボタン４、十字ボタン５および決定ボタン６が操作部７として接続されており、使用者により操作部７を構成するレリーズボタン２が操作されると、撮像部１５に被写体光が露光されて、被写体像の撮像信号が生成される。上述したモニタ３には、撮像部１５の撮像面１５ａで撮像される被写体像がスルー画像として表示され、撮影者はこのスルー画像で構図を確認する。
【００３０】
図３は、ＣＰＵ１１によって行われる合成画像生成処理の概略を示すフローチャートである。図４は、図３に示す合成画像生成処理においてモニタ３に表示される画面を示す図である。
【００３１】
ＣＰＵ１１は、ステップ（以下、Ｓと記す）１において、図４（ａ）に示すようなスルー画像がモニタ３に表示されている撮影可能状態で、決定ボタン６が押されたか否かを判別する。このスルー画像には、被写体Ａ、Ｂ、Ｃからなる第１画像２３が表示されており、第１画像２３は被写体Ｂからなる第２画像２４を含んでいる。決定ボタン６が押されず、Ｓ１の判別が“ＮＯ”の場合、ＣＰＵ１１は、決定ボタン６が押されるまで待機する。  
【００３２】
一方、決定ボタン６が押されて、Ｓ１の判別が“ＹＥＳ”の場合、ＣＰＵ１１は、モニタ３に、図４（ｂ）に示すように内枠２１および外枠２２を表示する。内枠２１は、拡大表示させる第２画像２４のトリミング領域を規定し、外枠２２は、内枠２１によって規定された第２画像２４のトリミング領域が拡大される領域を規定する。モニタ３に最初に表示される内枠２１および外枠２２の大きさ、位置は、デフォルトで設定されており、またはメニュー画面の操作により使用者によって設定される。デフォルトでは、モニタ３に最初に表示される内枠２１は、例えば、画面中央の被写体Ｂの位置に被写体Ｂを囲う大きさに設定され、また、外枠２２は、内枠２１の中心と一致する位置に、内枠２１の大きさの所定倍の大きさ、例えば２倍に設定される。次に、ＣＰＵ１１は、Ｓ３において、内枠２１を設定変更対象として選択し、図４（ｂ）に示すように内枠２１を点線で表示する。ＣＰＵ１１は、Ｓ４において、ズームボタン４が押されたか否かを判別する。ズームボタン４が押されて、Ｓ４の判別が“ＹＥＳ”の場合、ＣＰＵ１１は、Ｓ５において、ズームボタン４の操作に応じて、図４（ｂ）の内枠２１の角にある矢印ａに示されるように、内枠２１を拡大または縮小させる。Ｓ５の処理の後、または、ズームボタン４が押されず、Ｓ４の判別が“ＮＯ”の場合、ＣＰＵ１１は、Ｓ６において、十字ボタン５が押されたか否かを判別する。十字ボタン５が押されて、Ｓ６の判別が“ＹＥＳ”の場合、ＣＰＵ１１は、Ｓ７において、十字ボタン５の操作に応じてモニタ３に表示されている内枠２１を、図４（ｂ）に示されるように内枠２１の上下左右方向にある矢印ｂのいずれかの方向へ、移動させる。Ｓ７の処理の後、または、十字ボタン５が押されず、Ｓ６の判別が“ＮＯ”の場合、ＣＰＵ１１は、Ｓ８において、決定ボタン６が押されたか否かを判別する。決定ボタン６が押されず、Ｓ８の判別が“ＮＯ”の場合、ＣＰＵ１１は、Ｓ４の処理に戻る。一方、決定ボタン６が押されて、Ｓ８の判別が“ＹＥＳ”の場合、ＣＰＵ１１は、ズームボタン４および十字ボタン５によって設定された大きさ、位置に、内枠２１を図４（ｃ）の実線に示すように決定する。
【００３３】
次に、ＣＰＵ１１は、Ｓ９において、外枠２２を設定変更対象として選択し、図４（ｃ）に示すように外枠２２を点線で表示する。次に、ＣＰＵ１１は、Ｓ１０において、ズームボタン４が押されたか否かを判別する。ズームボタン４が押されて、Ｓ１０の判別が“ＹＥＳ”の場合、ＣＰＵ１１は、ズームボタン４の操作に応じて、図４（ｃ）の外枠２２の角にある矢印ａに示されるように、外枠２２を拡大または縮小させる。Ｓ１１の処理の後、または、ズームボタン４が押されず、Ｓ１０の判別が“ＮＯ”の場合、ＣＰＵ１１は、Ｓ１２において、十字ボタン５が押されたか否かを判別する。十字ボタン５が押されて、Ｓ１２の判別が“ＹＥＳ”の場合、ＣＰＵ１１は、Ｓ１３において、十字ボタン５の操作に応じてモニタ３に表示されている外枠２２を、図４（ｃ）に示されるように外枠２２の上下左右方向にある矢印ｂのいずれかの方向へ、移動させる。この際、内枠２１は、外枠２２の移動に連動して、各枠２１、２２  の中心が一致するように移動する。Ｓ１３の処理の後、または、十字ボタン５が押されず、Ｓ１２の判別が“ＮＯ”の場合、ＣＰＵ１１は、Ｓ１４において、決定ボタン６が押されたか否かを判別する。決定ボタン６が押されず、Ｓ１４の判別が“ＮＯ”の場合、ＣＰＵ１１は、Ｓ１０の処理に戻る。一方、決定ボタン６が押されて、Ｓ１４の判別が“ＹＥＳ”の場合、ＣＰＵ１１は、ズームボタン４および十字ボタン５によって設定された大きさ、位置に、外枠２２を図４（ｄ）の実線に示すように決定する。
【００３４】
次に、ＣＰＵ１１は、Ｓ１５において、レリーズボタン２が押されたか否かを判別する。レリーズボタン２が押されず、Ｓ１４の判別が“ＮＯ”の場合、ＣＰＵ１１は、レリーズボタン２が押されるまで待機する。一方、レリーズボタン２が押されて、Ｓ１５の判別が“ＹＥＳ”の場合、ＣＰＵ１１は、Ｓ１６において、内枠２１で規定された第２画像２４をデジタルカメラ１の電子ズーム機能により、図４（ｅ）に示すように外枠２２まで拡大して、新たな第２画像２４ａを生成する。そして、新たな第２画像２４ａを第１画像２３に貼り付けて、図４（ｅ）に示すように新たな第２画像２４ａを第１画像２３に含む合成画像２５を生成し、メモリカード２０に記録する。
【００３５】
このような本実施形態によるデジタルカメラ１によれば、合成画像生成手段により、第１画像２３に画角が異なる新たな第２画像２４ａが貼り付けられた１枚の合成画像２５が生成され、記録手段により、合成画像生成手段によって生成された１枚の合成画像２５がメモリカード２０に記録される。このため、従来のように、第１画像２３と、画角が異なる第２画像２４ａとの２枚の画像を、別々の画像として記録しておく必要もなく、互いに画角の異なる第１画像２３および第２画像２４ａを１枚の合成画像２５として記録することができて便利である。また、広角側の、全体の雰囲気を表現する第１画像２３と、望遠側の、被写体Ｂの迫力ある様子を表現する新たな第２画像２４ａとを１枚の合成画像２５で表現することができるため、従来の１枚ずつの画像の撮影では得られない新たな画像を作成することが可能である。
【００３６】
また、本実施形態によるデジタルカメラ１によれば、第２画像取得手段により、枠設定手段で設定された内枠２１内の第２画像２４を所定の倍率で拡大した画像が新たな第２画像２４ａとして取得され、合成画像生成手段によって第１画像２３に貼り付けられて１枚の合成画像２５が生成される。このため、使用者は、枠設定手段で設定された内枠２１から、第１画像２３と画角が異なる、所定の倍率で拡大される第２画像２４の内容を把握することが可能である。
【００３７】
また、本実施形態によるデジタルカメラ１によれば、枠設定手段により、使用者のズームボタン４および十字ボタン５の操作に応じて、所定の倍率で拡大されて第１画像２３に貼り付けられる第２画像２４の枠の位置、大きさ等が設定される。このため、使用者の好みに合わせた合成画像２５を作成することができる。
【００３８】
また、本実施形態によるデジタルカメラ１によれば、合成画像生成手段により、新たな第２画像２４ａ（図４（ｅ）参照）を元の第２画像２４（図４（ａ）参照）と重なる位置に貼り付けることにより、合成画像２５（図４（ｅ）参照）が生成される。このため、新たな第２画像２４ａを元の第２画像２４の位置に記録することができ、全体の雰囲気における撮影対象物の位置関係を損なわないで、迫力ある第２画像２４ａを表現することができる。
【００３９】
なお、本実施形態において、合成画像生成手段により、新たな第２画像２４ａを元の第２画像２４と重ならない位置に貼り付けることにより合成画像２５が生成される構成であってもよい。この構成によれば、拡大された新たな第２画像２４ａおよび拡大される前の元の第２画像２４を比較してみることができて、便利である。
【００４０】
また、ＣＰＵ１１および十字ボタン５により、合成画像生成手段による新たな第２画像２４ａの貼り付け位置を選択する位置選択手段を構成するようにしてもよい。この構成によれば、位置選択手段により、合成画像生成手段による新たな第２画像２４ａの貼り付け位置が選択されるため、使用者が第１画像２３の所望の位置に第２画像２４ａを貼り付けることができ、使用者の好みに合わせた合成画像２５を作成することができる。
【００４１】
また、本実施形態のデジタルカメラ１は、電子ズーム機能を備え、第１画像２３と画角が異なる新たな第２画像２４ａを、元の第２画像２４を基にして、取得する構成であった。しかし、デジタルカメラ１がレンズ１４を移動させて撮影画像を拡大または縮小させる光学ズーム機能を備え、第１画像２３と画角が異なる新たな第２画像２４ａを、第１画像取得手段により元の第２画像２４の取得タイミングとほぼ同じタイミングで、取得する構成であってもよい。つまり、第１画像２３の撮影とほぼ同じタイミングで光学ズームにより第１画像２３と画角が異なる第２画像２４ａの撮影を行い、第１画像２３に第２画像２４ａを貼り付けて１枚の合成画像２５が生成されるようにしてもよい。
【００４２】
また、本実施形態では、モニタ３に表示される内枠２１と外枠２２の形状は矩形であったが、この形に限らず、他の形状、例えば、丸や三角形やハートの形状などであってもよい。
【００４３】
また、本実施形態では、モニタ３に表示される外枠２２の形状は、内枠２１の拡大相似形状であったが、外枠２２の形状はこの形状に限らず、内枠２１と異なる形状であってもよい。例えば、内枠２１が長方形で、外枠２２が三角形やハートの形状等でもよい。この場合、内枠２１内の画像が外枠２２の形状に合わせて拡大されたりする。
【００４４】
また、デジタルカメラ１のモニタ３がタッチパネルからなり、このタッチパネル上で、十字ボタン５を用いずに、ペン等を用いて、またはタッチ操作で、外枠２２と内枠２１の形状を自由に決定できる構成であってもよい。
【００４５】
また、本実施形態では、生成された合成画像２５に表示される外枠２２を線で表していたが、この線はなくてもよく、また、合成画像２５とその背景画像との境界線をぼかしてもよい
【００４６】
また、ＣＰＵ１１が、複数の被写体Ａ、Ｂ、Ｃのそれぞれに対して外枠２２、内枠２１を表示し、使用者が十字ボタン５および決定ボタン６を操作することにより、これらの複数の外枠２２、内枠２１から特定の１つまたは複数の外枠２２、内枠２１を選択し、内枠２１に表示された第２画像２４を外枠２２まで拡大した１つまたは複数の新たな第２画像２４ａを含む合成画像２５が生成される構成であってもよい。
【００４７】
また、本実施形態では、内枠２１と外枠２２が同時にモニタ３に表示される構成であったが、最初に内枠２１のみをモニタ３に表示し、決定ボタン６が押されて内枠２１の位置、大きさが決定された後に、初めてモニタ３に外枠２２が表示される構成であってもよい。この構成によれば、設定変更対象となっている枠が内枠２１であるか外枠２２であるかを見誤まることがない。
【００４８】
また、最初にモニタ３に表示される内枠２１、外枠２２の位置は、デフォルトまたはメニュー画面の操作により、モニタ３の中央にある被写体Ｂに表示される構成であったが、例えば、左の被写体Ａや右の被写体Ｃ等の位置であってもよい。また、最初に被写体Ｂに表示された内枠２１、外枠２２の位置を、その後の使用者の十字ボタン５の操作によって異なる被写体ＡまたはＣに変更する構成としてもよい。
【００４９】
図５は、デジタルカメラ１のターゲット自動追尾機能により合成画像を生成する処理の概略を示すフローチャートである。図６は、図５に示す自動追尾機能により合成画像を生成する処理において、モニタ３に表示される画面を示す図である。
【００５０】
ＣＰＵ１１は、Ｓ２１において、メニュー画面の設定などで、デジタルカメラ１にターゲット自動追尾機能が設定されたか否かを判別する。自動追尾機能が設定されず、Ｓ２１の判別が“ＮＯ”の場合、ＣＰＵ１１は、自動追尾機能が設定されるまで待機する。一方、自動追尾機能が図６（ａ）に示すようなターゲット３１に設定されて、Ｓ２１の判別が“ＹＥＳ”の場合、ＣＰＵ１１は、Ｓ２２において、ターゲット３１を認識したか否かを判別する。ここで、ターゲット３１の例としては、運動会などで走る子供等が挙げられる。ターゲット３１を認識せず、Ｓ２２の判別が“ＮＯ”の場合、ＣＰＵ１１は、ターゲット３１を認識するまで待機する。一方、ターゲット３１を認識し、Ｓ２２の判別が“ＹＥＳ”の場合、ＣＰＵ１１は、Ｓ２３において、ターゲット３１の大きさ、動き量に合わせて、第２画像２４を規定する内枠２１、第２画像２４が拡大される領域を規定する外枠２２のそれぞれの大きさ、位置を決定する。次に、ＣＰＵ１１は、Ｓ２４において、図６（ａ）に示すように、モニタ３に、内枠２１、外枠２２をＳ２３で決定した大きさ、位置に表示する。
【００５１】
次に、ＣＰＵ１１は、Ｓ２５において、ターゲット３１が移動したか否かを判別する。ターゲット３１が移動してＳ２５の判別が“ＹＥＳ”の場合、ＣＰＵ１１は、Ｓ２６において、自動追尾機能に連動し、ターゲット３１の新たな動きに合わせて内枠２１、外枠２２の大きさ、位置を決定する。次に、ＣＰＵ１１は、Ｓ２７において、図６（ｂ）、（ｃ）に示すように、内枠２１、外枠２２をターゲット３１の動きに合わせて表示する。この際、内枠２１と外枠２２の各中心が一致するように各枠２１、２２を表示する。Ｓ２７の処理の後、または、ターゲット３１が移動せず、Ｓ２５の判別が“ＮＯ”の場合、ＣＰＵ１１は、Ｓ２８において、レリーズボタン２が押されたか否かを判別する。レリーズボタン２が押されず、Ｓ２８の判別が“ＮＯ”の場合、ＣＰＵ１１は、Ｓ２５の処理に戻る。一方、レリーズボタン２が押されてＳ２８の判別が“ＹＥＳ”の場合、ＣＰＵ１１は、Ｓ２９において、内枠２１で規定された第２画像２４を外枠２２まで拡大して、新たな第２画像２４ａを生成する。そして、新たな第２画像２４ａを第１画像２３に貼り付けて、図６（ｄ）に示すように新たな第２画像２４ａを第１画像２３に含む合成画像２６を生成し、メモリカード２０に記録する。
【００５２】
図７は、デジタルカメラ１の顔認識機能により合成画像を生成する処理の概略を示すフローチャートである。図８は、図７に示す顔認識機能により合成画像を生成する処理において、モニタ３に表示される画面を示す図である。
【００５３】
ＣＰＵ１１は、Ｓ３１において、メニュー画面の設定などで、デジタルカメラ１に顔認識機能が設定されたか否かを判別する。顔認識機能が設定されず、Ｓ３１の判別が“ＮＯ”の場合、ＣＰＵ１１は、顔認識機能が設定されるまで待機する。一方、顔認識機能が設定されて、Ｓ３１の判別が“ＹＥＳ”の場合、ＣＰＵ１１は、Ｓ３２において、顔認識機能により顔を認識したか否かを判別する。顔認識機能により顔を認識せず、Ｓ３２の判別が“ＮＯ”の場合、ＣＰＵ１１は、顔認識機能により顔を認識するまで待機する。一方、顔認識機能により顔を認識してＳ３２の判別が“ＹＥＳ”の場合、ＣＰＵ１１は、Ｓ３３において、図８（ａ）に示すように顔認識枠４１をモニタ３に表示する。次に、ＣＰＵ１１は、Ｓ３４において、図８（ｂ）に示すようにスルー画像に、第２画像２４を規定する内枠２１、第２画像２４が拡大される領域を規定する外枠２２を、顔認識枠４１の大きさ、位置に応じて表示する。ここで、ＣＰＵ１１は、複数の顔を認識した場合、予め決められた基準となる被写体、例えば、一番顔の大きな被写体や画面中央に最も近い被写体に、顔認識枠４１、内枠２１、および外枠２２を表示する。次に、ＣＰＵ１１は、Ｓ３５において、レリーズボタン２が押されたか否かを判別する。レリーズボタン２が押されず、Ｓ３５の判別が“ＮＯ”の場合、ＣＰＵ１１は、レリーズボタン２が押されるまで待機する。一方、レリーズボタン２が押され、Ｓ３５の判別が“ＹＥＳ”の場合、ＣＰＵ１１は、Ｓ３６において、内枠２１に規定された第２画像２４を外枠２２まで拡大した新たな第２画像２４ａを図８（ｅ）に示すように含む合成画像２７を生成し、メモリカード２０に記録する。
【００５４】
上述した図５に示す自動追尾機能に連動する合成画像生成処理、図７に示す顔認識機能に連動する合成画像生成処理によっても、上述した実施形態と同様な作用、効果が奏される。
【００５５】
また、上述した図５および図７に示す合成画像生成処理によれば、撮影対象物が動いても、枠設定手段が自動的に撮影対象物の動きに合わせて撮影対象物に対する内枠２１および外枠２２を設定する。このため、使用者がわざわざ手動で撮影対象物の動きに合わせて内枠２１および外枠２２を設定する面倒な作業も必要なく、撮影対象物を第２画像２４として撮影する際の利便性が向上する。
【００５６】
また、上述した図５および図７に示す合成画像生成処理において、自動的に表示される外枠２２の大きさは、メニュー画面で、事前に大きさ自体を設定することにより、また、第２画像２４ａの記録画素数を指定することにより、決定される構成であってもよい。また、記録画素数によらず、第１画像２３の解像度、つまりフル解像度に対する所定の割合、例えば５０％に指定することにより、決定される構成であってもよい。
【００５７】
また、第２画像２４として捉える撮影対象物は、上述した図５の合成画像生成処理ではターゲット３１、図７の合成画像生成処理では被写体の顔であった。しかし、撮影画像を複数の領域に分割、例えば２５分割し、各分割領域の明るさを測定して、所定値以上の明るさを有する特定の分割領域、例えば、花火の撮影時における花火の広がっている領域などを、第２画像２４として拡大して、第１画像２３に貼り付けて合成画像を生成する構成であってもよい。
【産業上の利用可能性】
【００５８】
上記実施形態においては、本発明の撮影装置をデジタルカメラに適用した場合について説明したが、ビデオカメラや、携帯電話機等に内蔵されるカメラ等のその他の撮影装置にも適用することが可能である。このような撮影装置に本発明を適用した場合においても、上記実施形態と同様な作用効果が奏される。
【符号の説明】
【００５９】
１…デジタルカメラ
３…モニタ
１１…ＣＰＵ
１４…レンズ
１５…撮像部
２０…メモリカード
２１…内枠
２２…外枠
２３…第１画像
２４…元の第２画像
２４ａ…新たな第２画像
２５、２６、２７…合成画像
３１…ターゲット
４１…顔認識枠
Ａ、Ｂ、Ｃ…被写体
【図１】
2010268019.tif 000003
【図２】
2010268019.tif 000004
【図３】
2010268019.tif 000005
【図４】
2010268019.tif 000006
【図５】
2010268019.tif 000007
【図６】
2010268019.tif 000008
【図７】
2010268019.tif 000009
【図８】
2010268019.tif 000010